(57)【要約】【課題】ネットワーク通信可能な状態を常時維持したまま消費電力を下げることができる洗濯機を提供する。【解決手段】洗濯機は、メインマイコン１１と、洗濯に関わる負荷を含む周辺構成部(１２,２１,２２)と、サブマイコン３１と、ネットワークを介して情報端末と通信を行う通信部３２と、電源電圧を供給する電源装置４０と、電源装置４０からメインマイコン１１と周辺構成部(１２,２１,２２)への電源電圧の供給を制御する電源制御部３３とを備える。上記サブマイコン３１と通信部３２と電源制御部３３は、通信部３２により通信を行う通信モードであるとき、電源装置４０から電源電圧が常時供給され、メインマイコン１１と周辺構成部(１２,２１,２２)は、通信モードでかつ負荷が制御されない節電モードであるとき、電源制御部３３によって電源装置４０からの電源電圧の供給が停止される。【選択図】図２
2015159989.tif 000002
【特許請求の範囲】
【請求項１】
メインマイコンと、
上記メインマイコンにより制御され、洗濯に関わる負荷を含む周辺構成部と、
上記メインマイコンと互いに通信を行うサブマイコンと、
上記サブマイコンにより制御され、ネットワークを介して情報通信端末と通信を行う通信部と、
上記メインマイコンと上記周辺構成部と上記サブマイコンおよび上記通信部に電源電圧を供給する電源装置と、
上記サブマイコンにより制御され、上記電源装置から上記メインマイコンと上記周辺構成部への電源電圧の供給を制御する電源制御部と
を備え、
上記サブマイコンと上記通信部と上記電源制御部は、上記通信部により通信を行う通信モードであるとき、上記電源装置から電源電圧が常時供給され、
上記メインマイコンと上記周辺構成部は、上記通信モードでかつ上記負荷が制御されない節電モードであるとき、上記電源制御部によって上記電源装置からの電源電圧の供給が停止されることを特徴とする洗濯機。
【請求項２】
請求項１に記載の洗濯機において、
上記サブマイコンにより制御され、上記電源装置への電源入力を遮断する電源遮断部と、
上記通信部により通信を行う上記通信モードとするかまたは通信を行わない非通信モードとするかを選択するための通信モード選択部と
を備え、
上記サブマイコンは、上記通信モード選択部により上記通信モードが選択されたとき、上記電源遮断部により上記電源装置への電源入力を遮断するオートパワーオフ機能を停止することを特徴とする洗濯機。
【請求項３】
請求項１または２に記載の洗濯機において、
上記通信部により上記ネットワークを介して運転に関わる情報を変更する信号を受けた上記サブマイコンが上記運転に関わる情報を変更したとき、上記運転に関わる情報を変更した旨を表示する表示部を備えたことを特徴とする洗濯機。
【請求項４】
請求項３に記載の洗濯機において、
上記表示部は、上記サブマイコンにより変更された上記運転に関わる情報の種類または内容の少なくとも一方を表示することを特徴とする洗濯機。
【発明の詳細な説明】
【技術分野】
【０００１】
この発明は、洗濯機に関する。
【背景技術】
【０００２】
近年、多様な家電機器がネットワークに接続されることによって便利な生活を享受している。例えば、空気調和機をネットワーク経由で遠隔地からコントロールしたり、電子レンジでレシピをネットワーク経由でダウンロードしたり、冷蔵庫で食材管理したりできるようになった。
【０００３】
従来の洗濯機においても、遠隔地から１台ないし複数台の運転状況を把握できるようになってきている(例えば、特許第４１６３６１４号(特許文献１)参照)。
【先行技術文献】
【特許文献】
【０００４】
【特許文献１】特許第４１６３６１４号
【発明の概要】
【発明が解決しようとする課題】
【０００５】
しかしながら、ネットワーク環境を用いた洗濯機の遠隔制御のためには、洗濯機の電源が常にオン状態でなければならないため、消費電力が増大するという問題がある。
【０００６】
従来の技術では、電源部と操作部と表示部および通信部などを１つの制御用マイクロコンピュータ(以下、マイコンという)でコントロールするため、遠隔操作モードにしたり、節電モードにしたりしても、制御用マイコンおよびその制御用マイコンに接続された各部の消費電力を下げることは困難である。
【０００７】
そこで、この発明の課題は、ネットワーク通信可能な状態を常時維持したまま消費電力を下げることができる洗濯機を提供することにある。
【課題を解決するための手段】
【０００８】
上記課題を解決するため、この発明の洗濯機は、
メインマイコンと、
上記メインマイコンにより制御され、洗濯に関わる負荷を含む周辺構成部と、
上記メインマイコンと互いに通信を行うサブマイコンと、
上記サブマイコンにより制御され、ネットワークを介して情報通信端末と通信を行う通信部と、
上記メインマイコンと上記周辺構成部と上記サブマイコンおよび上記通信部に電源電圧を供給する電源装置と、
上記サブマイコンにより制御され、上記電源装置から上記メインマイコンと上記周辺構成部への電源電圧の供給を制御する電源制御部と
を備え、
上記サブマイコンと上記通信部と上記電源制御部は、上記通信部により通信を行う通信モードであるとき、上記電源装置から電源電圧が常時供給され、
上記メインマイコンと上記周辺構成部は、上記通信モードでかつ上記負荷が制御されない節電モードであるとき、上記電源制御部によって上記電源装置からの電源電圧の供給が停止されることを特徴とする。
【０００９】
また、一実施形態の洗濯機では、
上記サブマイコンにより制御され、上記電源装置への電源入力を遮断する電源遮断部と、
上記通信部により通信を行う上記通信モードとするかまたは通信を行わない非通信モードとするかを選択するための通信モード選択部と
を備え、
上記サブマイコンは、上記通信モード選択部により上記通信モードが選択されたとき、上記電源遮断部により上記電源装置への電源入力を遮断するオートパワーオフ機能を停止する。
【００１０】
また、一実施形態の洗濯機では、
上記通信部により上記ネットワークを介して運転に関わる情報を変更する信号を受けた上記サブマイコンが上記運転に関わる情報を変更したとき、上記運転に関わる情報を変更した旨を表示する表示部を備えた。
【００１１】
また、一実施形態の洗濯機では、
上記表示部は、上記サブマイコンにより変更された上記運転に関わる情報の種類または内容の少なくとも一方を表示する。
【発明の効果】
【００１２】
以上より明らかなように、この発明によれば、通信を行う通信モードであるときは、サブマイコンと通信部と電源制御部は電源装置から電源電圧が常時供給されると共に、通信モードでかつ負荷が制御されない節電モードにおいて、メインマイコンと負荷を含む周辺構成部が電源制御部によって電源装置からの電源電圧の供給が停止されることによって、ネットワーク通信可能な状態を常時維持したまま消費電力を低減できる洗濯機を実現することができる。
【図面の簡単な説明】
【００１３】
【図１】図１はこの発明の第１実施形態の洗濯機の一例としての洗濯乾燥機の外観を示す斜視図である。
【図２】図２は上記洗濯乾燥機の制御ブロック図である。
【図３】図３は上記洗濯乾燥機の操作表示部のパネルの平面図である。
【図４】図４はこの発明の第２実施形態の洗濯機の一例としての洗濯乾燥機の制御ブロック図である。
【図５】図５は上記洗濯乾燥機の操作表示部のパネルの平面図である。
【図６】図６はこの発明の第３実施形態の洗濯機の一例としての洗濯乾燥機の操作表示部のパネルの平面図である。
【発明を実施するための形態】
【００１４】
以下、この発明の洗濯機を図示の実施の形態により詳細に説明する。
【００１５】
〔第１実施形態〕
図１はこの発明の第１実施形態の洗濯機の一例としての洗濯乾燥機の外観を示している。
【００１６】
この第１実施形態の洗濯乾燥機は、図１に示すように、外箱１の正面に運転動作を選択して指示入力すると共に運転状態などを表示する操作表示部２と、洗濯槽(図示せず)の開口を開閉する扉３とを備える。
【００１７】
また、図２は上記洗濯乾燥機の制御ブロック図を示しており、洗濯乾燥機は、図２に示すように、メインマイコン１１と、メインマイコン１１により制御される洗濯に関わる運転負荷１２と、メインマイコン１１に接続された操作部２１と、その操作部２１に接続された表示部２２と、メインマイコン１１と互いに通信を行うサブマイコン３１と、サブマイコン３１により制御され、ネットワークを介して情報通信端末(図示せず)と通信を行う通信部３２と、サブマイコン３１により制御される電源制御部３３と、サブマイコン３１に接続された操作部３４と、メインマイコン１１と運転負荷１２と操作部２１と表示部２２とサブマイコン３１と通信部３２と電源制御部３３および操作部３４に電源電圧を供給する電源装置４０と、上記電源装置４０と交流電源５０とを接続する電源線を開閉する電源スイッチＳＷを備える。この電源スイッチＳＷは、サブマイコン３１により制御される電源遮断部の一例である。
【００１８】
上記サブマイコン３１は、メインマイコン１１よりも消費電力が小さい。
【００１９】
上記操作部２１と表示部２２と操作部３４と表示部３５で操作表示部２(図１に示す)を構成している。また、上記運転負荷１２と操作部２１と表示部２２などで周辺構成部を構成している。
【００２０】
上記運転負荷１２としては、回転ドラムを回転させるための駆動モータや、衣類を乾燥させるための加熱装置や送風ファンなどがある。
【００２１】
上記メインマイコン１１と運転負荷１２と操作部２１と表示部２２で第１電源供給ブロック１０１を構成すると共に、サブマイコン３１と通信部３２と電源制御部３３と操作部３４で第２電源供給ブロック１０２を構成している。
【００２２】
また、図３は上記洗濯乾燥機の操作表示部２のパネルの平面図を示している。
【００２３】
この操作表示部２は、図３に示すように、パネル右側に電源押ボタン３０１(「入／切」)を有している。この電源押ボタン３０１を含む領域Ｓ１が常時通電部分である。
【００２４】
また、操作表示部２は、パネル左下側から右側に向かって、洗い押ボタン２０１,すすぎ押ボタン２０２,脱水押ボタン２０３,乾燥押ボタン２０４が順に配置されている。また、上記洗い押ボタン２０１,すすぎ押ボタン２０２,脱水押ボタン２０３,乾燥押ボタン２０４のそれぞれの上側に発光部ＬＥＤ１〜ＬＥＤ４が配置されている。
【００２５】
また、操作表示部２の洗い押ボタン２０１の上側に文字表示部２１１(「水量」,「残り」,「予約」)を配置している。また、その文字表示部２１１の右側に４桁の数字表示部２１２を配置し、数字表示部２１２の右側に文字表示部２１３(「標準」,「ドライ」,「毛布」,「念入り」,「急ぎ」,「エコ」)を配置している。さらに、文字表示部２１３の右側に運転コース選択用のコース押ボタン２０５を配置している。
【００２６】
上記文字表示部２１１の「水量」,「残り」,「予約」のいずれか１つの文字列自体が必要に応じて光る。また、上記運転コース選択用のコース押ボタン２０５により運転コースが選択されたとき、文字表示部２１３の「標準」,「ドライ」,「毛布」,「念入り」,「急ぎ」,「エコ」の少なくとも１つの文字列自体が光る。
【００２７】
上記発光部ＬＥＤ１〜ＬＥＤ４と文字表示部２１１と数字表示部２１２および文字表示部２１３は、図２に示す表示部２２に含まれる。また、上記洗い押ボタン２０１とすすぎ押ボタン２０２と脱水押ボタン２０３と乾燥押ボタン２０４およびコース押ボタン２０５は、図２に示す操作部２１に含まれる。
【００２８】
上記構成の洗濯乾燥機において、電源オフ状態から操作表示部２の電源押ボタン３０１をユーザーが押すと、電源スイッチＳＷがオンして、交流電源５０から電源装置４０に交流電圧が供給され、電源装置４０から電源電圧が第２電源供給ブロック１０２に供給される。さらに、電源装置４０からの電源電圧が電源制御部３３を介して第１電源供給ブロック１０１に供給される。
【００２９】
この洗濯乾燥機は、電源オフ状態で第２電源供給ブロック１０２に電源電圧が供給されていなくとも、電源押ボタン３０１の操作により電源スイッチＳＷがオンする回路構成としている。
【００３０】
そして、上記電源スイッチＳＷがオンした状態において、通信部３２による通信を行うため、サブマイコン３１と通信部３２と電源制御部３３で構成された第２電源供給ブロック１０２に対して、電源装置４０から電源電圧が常時供給される。
【００３１】
また、上記電源スイッチＳＷがオンした状態において、操作表示部２が所定時間(例えば５分)操作されないときは、メインマイコン１１と運転負荷１２と操作部２１と表示部２２で構成された第１電源供給ブロック１０１に対して、電源制御部３３によって電源装置４０からの電源電圧の供給が停止され、第２電源供給ブロック１０２のみに電源電圧が供給される節電モードとなる。
【００３２】
この節電モードの状態では、通信部３２によりネットワークを介して外部のユーザーの情報通信端末と通信を行うことが可能な通信モードとなる。ここで、通信部３２は、有線ＬＡＮ(ローカル・エリア・ネットワーク)または無線ＬＡＮを用いてインターネット通信網に接続されている。これにより、ユーザーは、情報通信端末を用いて洗濯機の運転状況などの情報を得ることができる。
【００３３】
外出中のユーザーの情報通信端末から運転に関わる情報を変更する信号を通信部３２が受けると、サブマイコン３１は運転に関わる情報を変更する。この運転に関わる情報として、例えば、次の(i)天気情報、(ii)ソフトウェアのバージョンアップ情報、(iii)運転コースの工程情報などがあるが、これらに限らず、ユーザーが手動で設定した運転コースなどの運転に関わる情報でもよい。
【００３４】
(i)  天気情報
天気情報では、晴れや曇りの予報を受信して操作表示部２に表示することによって、その日の洗濯工程をどのようにするかをユーザーが判断することができる。
【００３５】
(ii)  ソフトウェアのバージョンアップ情報
ソフトウェアのバージョンアップ情報では、ソフトウェアが更新されたことを操作表示部２に表示することによって、ユーザーが認知することができる。
【００３６】
(iii)  運転コースの工程情報
運転コースの工程情報では、例えば、曇りの日に乾燥工程を含む運転コースを選択してスタートした後、ユーザーが外出先で天気が回復して晴れたときは、情報通信端末を用いて上記運転コースのうちの乾燥工程のみを止める変更をすることによって、帰宅後に脱水された洗濯物を物干しに干して乾かすことができる。
【００３７】
なお、ユーザーの情報通信端末としては、スマートフォンやノート型パーソナルコンピュータ、ＰＤＡ(Personal Digital Assistant：パーソナル・デジタル・アシスタント)などを用いる。また、ユーザーの情報通信端末に限らず、洗濯機の製造メーカーのメンテナンス部門の情報通信端末とこの洗濯乾燥機との間でネットワークを介して通信を行ってもよい。
【００３８】
上記構成の洗濯乾燥機によれば、通信部３２により通信を行う通信モードであるとき、サブマイコン３１と通信部３２と電源制御部は電源装置４０から電源電圧が常時供給されると共に、第１電源供給ブロック１０１は、節電モードにおいて電源制御部３３によって電源装置４０からの電源電圧の供給が停止される。これにより、ネットワーク通信可能な状態を常時維持したまま消費電力を下げることができる。したがって、ネットワーク通信による遠隔制御を常に受け付ける洗濯乾燥機において、従来の回路構成に比べて消費電力を大幅に小さくすることができる。
【００３９】
〔第２実施形態〕
図４はこの発明の第２実施形態の洗濯機の一例としての洗濯乾燥機の制御ブロック図を示している。この第２実施形態の洗濯乾燥機は、表示部３５と通信モード選択部３６を除いて第１実施形態の洗濯乾燥機と同一の構成をしており、同一構成部には同一参照番号を付している。
【００４０】
この第２実施形態の洗濯乾燥機は、図４に示すように、メインマイコン１１と、メインマイコン１１により制御される洗濯に関わる運転負荷１２と、メインマイコン１１に接続された操作部２１と、その操作部２１に接続された表示部２２と、メインマイコン１１と互いに通信を行うサブマイコン３１と、サブマイコン３１により制御され、ネットワークを介して情報通信端末(図示せず)と通信を行う通信部３２と、サブマイコン３１により制御される電源制御部３３と、サブマイコン３１に接続された操作部３４と、その操作部３４に接続された表示部３５と、サブマイコン３１に接続された通信モード選択部３６と、メインマイコン１１と運転負荷１２と操作部２１と表示部２２とサブマイコン３１と通信部３２と電源制御部３３と操作部３４と表示部３５および通信モード選択部３６に電源電圧を供給する電源装置４０と、上記電源装置４０と交流電源５０との接続する電源ラインを開閉する電源スイッチＳＷを備える。この電源スイッチＳＷは、サブマイコン３１により制御される電源遮断部の一例である。
【００４１】
上記操作部２１と表示部２２と操作部３４と表示部３５と通信モード選択部３６で操作表示部２(図１に示す)を構成している。また、上記運転負荷１２と操作部２１と表示部２２などで周辺構成部を構成している。
【００４２】
上記メインマイコン１１と運転負荷１２と操作部２１と表示部２２で第１電源供給ブロック１０１を構成すると共に、サブマイコン３１と通信部３２と電源制御部３３と操作部３４と表示部３５と通信モード選択部３６で第２電源供給ブロック１０３を構成している。
【００４３】
また、図５は上記洗濯乾燥機の操作表示部２のパネルの平面図を示している。
【００４４】
この操作表示部２は、図５に示すように、パネル右側に電源押ボタン３０１(「入／切」)と通信モード選択部３６(図４に示す)の通信モード選択用の押ボタン３０２と表示部３５(図４に示す)の文字表示部３０３(「天気」、「ＶｅｒＵＰ」、「工程」)を有している。この電源押ボタン３０１と通信モード選択用の押ボタン３０２と文字表示部３０３を含む領域Ｓ２が常時通電部分である。また、通信モード選択用の押ボタン３０２には、図示しない発光部(ＬＥＤ)が内蔵されている。
【００４５】
また、操作表示部２は、パネル左下側から右側に向かって、洗い押ボタン２０１,すすぎ押ボタン２０２,脱水押ボタン２０３,乾燥押ボタン２０４が順に配置されている。また、上記洗い押ボタン２０１,すすぎ押ボタン２０２,脱水押ボタン２０３,乾燥押ボタン２０４のそれぞれの上側に、発光部ＬＥＤ１〜ＬＥＤ４が配置されている。
【００４６】
また、操作表示部２の洗い押ボタン２０１の上側に文字表示部２１１(「水量」,「残り」,「予約」)を配置している。また、その文字表示部２１１の右側に４桁の数字表示部２１２を配置し、数字表示部２１２の右側に文字表示部２１３(「標準」,「ドライ」,「毛布」,「念入り」,「急ぎ」,「エコ」)を配置している。さらに、文字表示部２１３の右側に運転コース選択用のコース押ボタン２０５を配置している。
【００４７】
上記文字表示部２１１の「水量」,「残り」,「予約」のいずれか１つの文字列自体が必要に応じて光る。また、上記運転コース選択用のコース押ボタン２０５により運転コースが選択されたとき、文字表示部２１３の「標準」,「ドライ」,「毛布」,「念入り」,「急ぎ」,「エコ」の少なくとも１つの文字列自体が光る。
【００４８】
上記発光部ＬＥＤ１〜ＬＥＤ４と文字表示部２１１と数字表示部２１２と文字表示部２１３は、図４に示す表示部２２に含まれる。
【００４９】
上記構成の洗濯機において、電源スイッチＳＷがオンしている状態において、ユーザーが通信モード選択用の押ボタン３０２を１回押すと、通信モード選択部３６で通信部３２により通信を行う通信モードが選択されて、押ボタン３０２に内蔵された発光部(ＬＥＤ)が点灯し、次に押ボタン３０２を１回押すと、通信モード選択部３６で通信部３２により通信を行わない非通信モードが選択されて、押ボタン３０２に内蔵された発光部(ＬＥＤ)が消灯する。このようにして、押ボタン３０２を押す毎に通信モードと非通信モードが交互に選択される。
【００５０】
そして、サブマイコン３１は、通信モード選択部３６により通信モードが選択されたとき、電源スイッチＳＷ(電源遮断部)により電源装置４０への電源入力を遮断するオートパワーオフ機能を停止する。
【００５１】
このように、電源スイッチＳＷ(電源遮断部)により電源装置４０への電源入力を遮断するオートパワーオフ機能を備えた洗濯機において、通信モード選択部３６によって通信部３２により通信を行う通信モードが選択されたときは、オートパワーオフ機能を停止するので、常時通信可能な状態を保つことが可能になる。
【００５２】
また、上記通信部３２によりネットワークを介して運転に関わる情報を変更する信号をサブマイコン３１が受けて、上記運転に関わる情報を変更したとき、サブマイコン３１により運転に関わる情報を変更した旨を表示部３５(第２電源供給ブロック１０３である常時通電部分)の文字表示部３０３に表示する。これにより、ユーザーが通信により情報が変更されたことを知ることができる。
【００５３】
ここで、サブマイコン３１は、上記運転に関わる情報を記憶する記憶部３１aを有し、通信部３２から上記運転に関わる情報を変更する信号をサブマイコン３１が受けたとき、記憶部３１aに記憶された上記運転に関わる情報を変更後の情報に書き換える。このとき、サブマイコン３１は、表示部３５を制御して、文字表示部３０３の「天気」,「ＶｅｒＵＰ」,「工程」のうち、変更された運転に関わる情報に対応する項目の文字列を点灯させる。
【００５４】
そうして、上記記憶部３１aの運転に関わる情報が書き換えられた後、電源押ボタン３０１(「入／切」)がユーザーにより押されると、節電モードを解除して、メインマイコン１１と運転負荷１２と操作部２１と表示部２２で構成された第１電源供給ブロック１０１に対して、電源制御部３３によって電源装置４０から電源電圧を供給する。
【００５５】
次に、電源電圧が供給されたメインマイコン１１は、サブマイコン３１と通信を行って記憶部３１aに記憶された運転に関わる情報を受け取る。
【００５６】
上記サブマイコン３１により変更された上記運転に関わる情報の種類(「天気」,「ＶｅｒＵＰ」,「工程」)を表示部３５に表示することによって、例えば運転工程の変更の有無と種類がユーザーに分かるので、遠隔制御したユーザーと洗濯機本体を直接操作するユーザーとの間で操作がぶつかり合うことを防ぐことができる。なお、サブマイコン３１により変更された上記運転に関わる情報の種類ではなく、その運転に関わる情報の内容を表示部に表示するようにしても、同様の効果が得られる。
【００５７】
上記第２実施形態の洗濯乾燥機は、第１実施形態の洗濯乾燥機と同様の効果を有する。
【００５８】
また、上記第２実施形態では、通信モードを選択する通信モード選択部３６と、運転に関わる情報を変更した旨を表示する表示部３５を備えた洗濯乾燥機について説明したが、通信モードを選択する通信モード選択部または運転に関わる情報を変更した旨を表示する表示部のいずれか一方のみを備えたものでもよい。
【００５９】
〔第３実施形態〕
図６はこの発明の第３実施形態の洗濯機の一例としての洗濯乾燥機の操作表示部２のパネルの平面図を示している。この第３実施形態の洗濯乾燥機は、文字表示部２０６を除いて第２実施形態の洗濯乾燥機と同一の構成をしており、同一構成部には同一参照番号を付して、図４を援用する。
【００６０】
この第３実施形態の洗濯乾燥機は、図６に示すように、電源押ボタン３０１と通信モード選択用の押ボタン３０２を含む領域Ｓ３の常時通電部分に文字表示部(「天気」、「ＶｅｒＵＰ」、「工程」)はなく、非常時通電部である第１電源供給ブロック１０１(図４に示す)の表示部２２に文字表示部２０６(「天気」、「ＶｅｒＵＰ」、「工程」)が含まれる。
【００６１】
上記構成の洗濯乾燥機では、通信モードが選択された節電モードにおいて、通信部３２によりネットワークを介して運転に関わる情報を変更する信号をサブマイコン３１が受けて、上記運転に関わる情報が変更された場合は、運転に関わる情報の変更は節電モード中には表示されない。
【００６２】
そして、ユーザーが電源押ボタン３０１を押して節電モードが解除され、第１電源供給ブロック１０１に電源電圧が供給された後、サブマイコン３１からの運転に関わる情報をメインマイコン１１が受けると、メインマイコン１１により運転に関わる情報を変更した旨を表示部２２の文字表示部２０６により表示する。これにより、ユーザーが通信により情報が変更されたことを知ることができる。
【００６３】
上記第３実施形態の洗濯乾燥機は、第２実施形態の洗濯乾燥機と同様の効果を有する。
【００６４】
上記第１〜第３実施形態では、洗濯乾燥機について説明したが、乾燥機能を有しない洗濯機にこの発明を適用してもよい。
【００６５】
この発明の具体的な実施の形態について説明したが、この発明は上記第１〜第３実施形態に限定されるものではなく、この発明の範囲内で種々変更して実施することができる。
【００６６】
この発明および実施形態をまとめると、次のようになる。
【００６７】
この発明の洗濯機は、
メインマイコン１１と、
上記メインマイコン１１により制御され、洗濯に関わる負荷を含む周辺構成部(１２,２１,２２)と、
上記メインマイコン１１と互いに通信を行うサブマイコン３１と、
上記サブマイコン３１により制御され、ネットワークを介して情報通信端末と通信を行う通信部３２と、
上記メインマイコン１１と上記周辺構成部(１２,２１,２２)と上記サブマイコン３１および上記通信部３２に電源電圧を供給する電源装置４０と、
上記サブマイコン３１により制御され、上記電源装置４０から上記メインマイコン１１と上記周辺構成部(１２,２１,２２)への電源電圧の供給を制御する電源制御部３３と
を備え、
上記サブマイコン３１と上記通信部３２と上記電源制御部３３は、上記通信部３２により通信を行う通信モードであるとき、上記電源装置４０から電源電圧が常時供給され、
上記メインマイコン１１と上記周辺構成部(１２,２１,２２)は、上記通信モードでかつ上記負荷が制御されない節電モードであるとき、上記電源制御部３３によって上記電源装置４０からの電源電圧の供給が停止されることを特徴とする。
【００６８】
上記構成によれば、通信部３２により通信を行う通信モードであるとき、サブマイコン３１と通信部３２と電源制御部３３は電源装置４０から電源電圧が常時供給される。また、メインマイコン１１と負荷を含む周辺構成部(１２,２１,２２)は、通信モードでかつ上記負荷が制御されない節電モードにおいて、電源制御部３３によって電源装置４０からの電源電圧の供給が停止される。これにより、通信可能な状態を常時維持したまま消費電力を下げることができる。したがって、ネットワーク通信による遠隔制御を常に受け付ける洗濯機において、従来の回路構成に比べて消費電力を大幅に小さくすることができる。
【００６９】
また、一実施形態の洗濯機では、
上記サブマイコン３１により制御され、上記電源装置４０への電源入力を遮断する電源遮断部ＳＷと、
上記通信部３２により通信を行う上記通信モードとするかまたは通信を行わない非通信モードとするかを選択するための通信モード選択部３６と
を備え、
上記サブマイコン３１は、上記通信モード選択部３６により上記通信モードが選択されたとき、上記電源遮断部ＳＷにより上記電源装置４０への電源入力を遮断するオートパワーオフ機能を停止する。
【００７０】
上記実施形態によれば、電源遮断部ＳＷにより電源装置４０への電源入力を遮断するオートパワーオフ機能を備えた洗濯機において、通信モード選択部３６により通信部３２により通信を行う通信モードが選択されたときは、オートパワーオフ機能を停止することで、電源入力を遮断することなく、常時通信可能な状態を保つことができる。
【００７１】
また、一実施形態の洗濯機では、
上記通信部３２により上記ネットワークを介して運転に関わる情報を変更する信号を受けた上記サブマイコン３１が上記運転に関わる情報を変更したとき、上記運転に関わる情報を変更した旨を表示する表示部２２,３５を備えた。
【００７２】
上記実施形態によれば、通信部３２によりネットワークを介して運転に関わる情報を変更する信号を受けたサブマイコン３１が上記運転に関わる情報を変更したとき、運転に関わる情報を変更した旨を表示部２２,３５により表示するので、ユーザーが通信により情報が変更されたことを知ることができる。
【００７３】
また、一実施形態の洗濯機では、
上記表示部２２,３５は、上記サブマイコン３１により変更された上記運転に関わる情報の種類または内容の少なくとも一方を表示する。
【００７４】
上記実施形態によれば、サブマイコン３１により変更された上記運転に関わる情報の種類または内容の少なくとも一方を表示部３５に表示することによって、例えば運転工程の変更の有無と種類(および／または内容)がユーザーに分かるので、遠隔制御したユーザーと洗濯機本体を直接操作するユーザーとの間で操作がぶつかり合うことを防ぐことができる。
【符号の説明】
【００７５】
１…外箱
２…操作表示部
３…扉
１１…メインマイコン
１２…運転負荷
２１…操作部
２２…表示部
３１…サブマイコン
３１a…記憶部
３２…通信部
３３…電源制御部
３４…操作部
３５…表示部
３６…通信モード選択部
４０…電源装置
５０…交流電源
ＳＷ…電源スイッチ
１０１…第１電源供給ブロック
１０２,１０３…第２電源供給ブロック
【図１】
2015159989.tif 000003
【図２】
2015159989.tif 000004
【図３】
2015159989.tif 000005
【図４】
2015159989.tif 000006
【図５】
2015159989.tif 000007
【図６】
2015159989.tif 000008